(57)【要約】【課題】  高品位映像を無線回線で連続した映像として容易に伝送可能な高品位映像伝送装置を提供する。【解決手段】  エンコード部１２は映像入力部１４に入力されるカメラ２からの高品位映像や音声入力部１５に入力されるマイク３からの音声を符号化する。データ送受信部１３は無線通信カード１８−１〜１８−ｎを用いて、大容量の画像データをパラレル送信し、無線通信カード１８−１〜１８−ｎ各々の通信環境の変化に伴って、あるいは制御部１１からの要求に応じて、無線通信カード１８−１〜１８−ｎ各々の通信環境の変化を伝送状態情報として制御部１１に出力する。制御部１１はデータ送受信部１３からの伝送状態情報を基にエンコード部１２のパラメータを設定する。【選択図】      図２                                                  
2006025064.tif 000002
【特許請求の範囲】
【請求項１】
符号化された高品位映像を複数の無線通信カードを介して送信側装置から受信側装置にパラレル送信する高品位映像伝送システムであって、
少なくとも前記複数の無線通信カード各々の通信環境に応じて前記高品位映像を符号化する際のパラメータを可変する制御手段を前記送信側装置に有することを特徴とする高品位映像伝送システム。
【請求項２】
前記通信環境は、前記複数の無線通信カード各々の動作状況及び使用可能帯域のうちの少なくとも一方を含むことを特徴とする請求項１記載の高品位映像伝送システム。
【請求項３】
前記パラメータは、前記高品位映像を符号化する際のビットレート及びフレームレートのうちの少なくとも一方を含むことを特徴とする請求項１または請求項２記載の高品位映像伝送システム。
【請求項４】
前記複数の無線通信カード各々は、無線公衆網を通して前記符号化された高品位映像を前記受信側装置にパラレル送信することを特徴とする請求項１から請求項３のいずれか記載の高品位映像伝送システム。
【請求項５】
前記制御手段は、予め設定された所定時間毎に前記パラメータの可変制御を行うことを特徴とする請求項１から請求項４のいずれか記載の高品位映像伝送システム。
【請求項６】
前記制御手段は、前記受信側装置からの指示に応答して前記パラメータの可変制御を行うことを特徴とする請求項１から請求項５のいずれか記載の高品位映像伝送システム。
【請求項７】
前記複数の無線通信カード各々の通信環境に対応して前記高品位映像を符号化する際のパラメータを予め保持するパラメータテーブルを前記送信側装置に含み、
前記制御手段は、前記パラメータテーブルを用いて前記パラメータの可変制御を行うことを特徴とする請求項１から請求項６のいずれか記載の高品位映像伝送システム。
【請求項８】
前記制御手段は、前記複数の無線通信カード各々の通信環境の統計処理結果に応じて前記パラメータの可変制御を行うことを特徴とする請求項１から請求項７のいずれか記載の高品位映像伝送システム。
【請求項９】
符号化された高品位映像を複数の無線通信カードを介して受信側装置にパラレル送信する高品位映像伝送装置であって、少なくとも前記複数の無線通信カード各々の通信環境に応じて前記高品位映像を符号化する際のパラメータを可変する制御手段を有することを特徴とする高品位映像伝送装置。
【請求項１０】
前記通信環境は、前記複数の無線通信カード各々の動作状況及び使用可能帯域のうちの少なくとも一方を含むことを特徴とする請求項９記載の高品位映像伝送装置。
【請求項１１】
前記パラメータは、前記高品位映像を符号化する際のビットレート及びフレームレートのうちの少なくとも一方を含むことを特徴とする請求項９または請求項１０記載の高品位映像伝送装置。
【請求項１２】
前記複数の無線通信カード各々は、無線公衆網を通して前記符号化された高品位映像を前記受信側装置にパラレル送信することを特徴とする請求項９から請求項１１のいずれか記載の高品位映像伝送装置。
【請求項１３】
前記制御手段は、予め設定された所定時間毎に前記パラメータの可変制御を行うことを特徴とする請求項９から請求項１２のいずれか記載の高品位映像伝送装置。
【請求項１４】
前記制御手段は、前記受信側装置からの指示に応答して前記パラメータの可変制御を行うことを特徴とする請求項９から請求項１３のいずれか記載の高品位映像伝送装置。
【請求項１５】
前記複数の無線通信カード各々の通信環境に対応して前記高品位映像を符号化する際のパラメータを予め保持するパラメータテーブルを含み、
前記制御手段は、前記パラメータテーブルを用いて前記パラメータの可変制御を行うことを特徴とする請求項９から請求項１４のいずれか記載の高品位映像伝送装置。
【請求項１６】
前記制御手段は、前記複数の無線通信カード各々の通信環境の統計処理結果に応じて前記パラメータの可変制御を行うことを特徴とする請求項９から請求項１５のいずれか記載の高品位映像伝送装置。
【請求項１７】
符号化された高品位映像を複数の無線通信カードを介して送信側装置から受信側装置にパラレル送信する高品位映像伝送システムに用いられる高品位映像伝送方法であって、前記送信側装置側に、少なくとも前記複数の無線通信カード各々の通信環境に応じて前記高品位映像を符号化する際のパラメータを可変するステップを有することを特徴とする高品位映像伝送方法。
【請求項１８】
前記通信環境は、前記複数の無線通信カード各々の動作状況及び使用可能帯域のうちの少なくとも一方を含むことを特徴とする請求項１７記載の高品位映像伝送方法。
【請求項１９】
前記パラメータは、前記高品位映像を符号化する際のビットレート及びフレームレートのうちの少なくとも一方を含むことを特徴とする請求項１７または請求項１８記載の高品位映像伝送方法。
【請求項２０】
前記複数の無線通信カード各々は、無線公衆網を通して前記符号化された高品位映像を前記受信側装置にパラレル送信することを特徴とする請求項１７から請求項１９のいずれか記載の高品位映像伝送方法。
【請求項２１】
前記パラメータを可変するステップは、予め設定された所定時間毎に前記パラメータの可変制御を行うことを特徴とする請求項１７から請求項２０のいずれか記載の高品位映像伝送方法。
【請求項２２】
前記パラメータを可変するステップは、前記受信側装置からの指示に応答して前記パラメータの可変制御を行うことを特徴とする請求項１７から請求項２１のいずれか記載の高品位映像伝送方法。
【請求項２３】
前記複数の無線通信カード各々の通信環境に対応して前記高品位映像を符号化する際のパラメータを予め保持するパラメータテーブルを前記送信側装置に設け、
前記パラメータを可変するステップは、前記パラメータテーブルを用いて前記パラメータの可変制御を行うことを特徴とする請求項１７から請求項２２のいずれか記載の高品位映像伝送方法。
【請求項２４】
前記パラメータを可変するステップは、前記複数の無線通信カード各々の通信環境の統計処理結果に応じて前記パラメータの可変制御を行うことを特徴とする請求項１７から請求項２３のいずれか記載の高品位映像伝送方法。
【請求項２５】
符号化された高品位映像を複数の無線通信カードを介して送信側装置から受信側装置にパラレル送信する高品位映像伝送システムに用いられる高品位映像伝送方法のプログラムであって、前記送信側装置のコンピュータに、少なくとも前記複数の無線通信カード各々の通信環境に応じて前記高品位映像を符号化する際のパラメータを可変する処理を実行させるためのプログラム。
【発明の詳細な説明】
【技術分野】
【０００１】
本発明は高品位映像伝送システム、高品位映像伝送装置及びそれらに用いる高品位映像伝送方法並びにそのプログラムに関し、特に高品位映像を移動通信方式にて伝送するための伝送方法に関する。
【背景技術】
【０００２】
テレビ放送においては、衛星放送やディジタル放送へと推移しているが、映像のディジタル化に伴って高品位映像が求められている。一方、カメラを中継先に持ち込んで撮影を行った場合、そのカメラからの映像はマイクロ回線及び衛星回線を用いて放送局に伝送されている。
【０００３】
しかしながら、マイクロ回線及び衛星回線を用いて映像の伝送を行うには、大型車両からなる中継車を必要としている。この中継車を必要とすることなく、中継先のカメラからの映像を放送局に伝送する方法としては、映像信号を中継回線（例えば、光ファイバ）用の通信規格に応じた信号（光信号）に変換した後、中継回線を介して放送局に転送する方法が提案されている（例えば、特許文献１参照）。
【０００４】
これに対し、ディジタルスチルカメラで撮影した画像データを、ディジタルスチルカメラ内部に設けた複数の無線通信部から受信側にパラレル送信する方法も提案されている（例えば、特許文献２参照）。
【０００５】
【特許文献１】特開２００４−０２３１１９号公報
【特許文献２】特開２００２−０２７０１８号公報
【発明の開示】
【発明が解決しようとする課題】
【０００６】
上述した従来の映像伝送方法では、上記の特許文献１記載の技術の場合、映像を伝送する際に、光ファイバ等の中継回線を設置しなければならず、中継車が必要なくなるという利点は持っているものの、やはり映像の伝送に相当の施設を必要とするという問題がある。
【０００７】
この問題は、上記の特許文献２記載の技術を用いることで解決することができるが、各種の移動通信方式を無線通信に用いる場合、無線回線の容量として常に大容量を確保することができるとは限らず、確保でない場合には画像データにノイズが混入したり、あるいは画像データそのものを失うことにもなかねない。
【０００８】
特に、高品位映像の場合には画像データが連続し、しかもデータ量が多大なものであるため、例えＭＰＥＧ−４（Ｍｏｖｉｎｇ  Ｐｉｃｔｕｒｅ  Ｅｘｐｅｒｔｓ  Ｇｒｏｕｐ−４）のような符号化方式を用いて圧縮しても、やはりデータ量が大きいため、無線回線で連続した映像として伝送することが困難である。
【０００９】
そこで、本発明の目的は上記の問題点を解消し、高品位映像を無線回線で連続した映像として容易に伝送することができる高品位映像伝送システム、高品位映像伝送装置及びそれらに用いる高品位映像伝送方法並びにそのプログラムを提供することにある。
【課題を解決するための手段】
【００１０】
本発明による高品位映像伝送システムは、符号化された高品位映像を複数の無線通信カードを介して送信側装置から受信側装置にパラレル送信する高品位映像伝送システムであって、
少なくとも前記複数の無線通信カード各々の通信環境に応じて前記高品位映像を符号化する際のパラメータを可変する制御手段を前記送信側装置に備えている。
【００１１】
本発明による高品位映像伝送装置は、符号化された高品位映像を複数の無線通信カードを介して受信側装置にパラレル送信する高品位映像伝送装置であって、少なくとも前記複数の無線通信カード各々の通信環境に応じて前記高品位映像を符号化する際のパラメータを可変する制御手段を備えている。
【００１２】
本発明による高品位映像伝送方法は、符号化された高品位映像を複数の無線通信カードを介して送信側装置から受信側装置にパラレル送信する高品位映像伝送システムに用いられる高品位映像伝送方法であって、前記送信側装置側に、少なくとも前記複数の無線通信カード各々の通信環境に応じて前記高品位映像を符号化する際のパラメータを可変するステップを備えている。
【００１３】
本発明による高品位映像伝送方法のプログラムは、符号化された高品位映像を複数の無線通信カードを介して送信側装置から受信側装置にパラレル送信する高品位映像伝送システムに用いられる高品位映像伝送方法のプログラムであって、前記送信側装置のコンピュータに、少なくとも前記複数の無線通信カード各々の通信環境に応じて前記高品位映像を符号化する際のパラメータを可変する処理を実行させている。
【００１４】
すなわち、本発明の高品位映像伝送システムは、符号化された高品位映像を複数の無線通信カードを介して送信側装置から受信側装置にパラレルに送信する際に、各無線通信カードの動作状況及び使用可能帯域に応じて、高品位映像を符号化する際のビットレート及びフレームレートのうちの少なくとも一方を可変することで、高品位映像を無線回線で連続した映像として容易に伝送可能としている。
【００１５】
具体的に説明すると、本発明の高品位映像伝送システムでは、送信側装置においてカメラで撮影された高品位映像を符号化し、その符号化データを分割して送信側装置に取り付けられた複数の無線通信カードから無線公衆網を通して受信側装置にパラレル送信している。
【００１６】
無線通信カードはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式等の無線公衆網を介して受信側装置に接続されるが、その無線公衆網の通信環境の変化に伴って、使用可能な帯域が減少したり、あるいは使用不可となることがある。
【００１７】
この場合、高品位映像はいくら符号化されているといっても、データ量が大きいため、受信側装置に届かないデータが生じたり、ノイズが混じったデータとなることがある。
【００１８】
そこで、本発明の高品位映像伝送システムでは、複数の無線通信カード各々の通信環境の変化、つまり伝送量の変化に伴って符号化のビットレートやフレームレートを可変することで、高品位映像の画質には多少の影響は生ずるものの、その連続性を損なうことなく、高品位映像を伝送可能としている。
【００１９】
尚、本発明の高品位映像伝送装置においては、符号化回路、伝送制御回路、無線通信カードとして市販されているものを使用することで、装置自体の小型化が可能となる。よって、本発明の高品位映像伝送装置では、従来、中継車がなければ不可能だった高品位映像の伝送を中継車なしに可能とし、さらに小型化を図ることで、機動性に富んだ報道や、あるいは各種機器の監視が可能となる。
【発明の効果】
【００２０】
本発明は、以下に述べるような構成及び動作とすることで、高品位映像を無線回線で連続した映像として容易に伝送することができるという効果が得られる。
【発明を実施するための最良の形態】
【００２１】
次に、本発明の実施例について図面を参照して説明する。図１は本発明の第１の実施例による高品位映像伝送システムの構成を示すブロック図である。図１において、本発明の第１の実施例による高品位映像伝送システムは、カメラ２やマイク３が装着された高品位映像伝送装置１と高品位映像受信システム（例えば、監視センタ等）４とを、無線公衆網１００，２００、有線回線３００、インタネット４００を介して接続して構成している。
【００２２】
高品位映像伝送装置１はカメラ２からの映像及びマイク３からの音声をそれぞれ符号化し、その符号化したデータを分割して図示せぬ複数の無線通信カードを用い、無線公衆網１００，２００、有線回線３００、インタネット４００を通して高品位映像受信システム４に送信する。
【００２３】
高品位映像受信システム４は分割されたデータを合成し、その合成したデータを復号化し、図示せぬ配信装置から表示端末（例えば、テレビ、監視モニタ等）に配信して表示させる。
【００２４】
図２は図１の高品位映像伝送装置１の構成を示すブロック図である。図２において、高品位映像伝送装置１は制御部１１と、エンコード部１２と、データ送受信部１３と、映像入力部１４と、音声入力部１５と、音声出力部１６と、パラメータテーブル１７と、無線通信カード１８−１〜１８−ｎ（ｎは正の整数、本実施例ではｎ＝４以上とする）と、外部入力部１９と、記録媒体２０とから構成されている。
【００２５】
エンコード部１２はＭＰＥＧ−４（Ｍｏｖｉｎｇ  Ｐｉｃｔｕｒｅ  Ｅｘｐｅｒｔｓ  Ｇｒｏｕｐ−４）やＨ．２６４等の符号化方式で、映像入力部１４に入力されるカメラ２からの高品位映像や音声入力部１５に入力されるマイク３からの音声を符号化する。
【００２６】
データ送受信部１３は上記の特許文献２に記載の技術のように、無線通信カード１８−１〜１８−ｎを用いて、大容量の画像データをパラレル送信することで高速通信を実現するために、無線通信カード１８−１〜１８−ｎ各々の制御を行う。
【００２７】
また、データ送受信部１３は無線通信カード１８−１〜１８−ｎ各々の通信環境の変化に伴って、あるいは制御部１１からの要求に応じて、無線通信カード１８−１〜１８−ｎ各々の通信環境の変化を伝送状態情報として制御部１１に出力する。制御部１１はデータ送受信部１３からの伝送状態情報を基にエンコード部１２のパラメータを設定する。
【００２８】
映像入力部１４はカメラ２を高品位映像伝送装置１に接続するためのコネクタやプラグ等であり、音声入力部１５はマイク３を高品位映像伝送装置１に接続するためのコネクタやプラグ等であり、音声出力部１６は図示せぬイヤホンやスピーカ等を高品位映像伝送装置１に接続するためのコネクタやプラグ等である。
【００２９】
パラメータテーブル１７は無線通信カード１８−１〜１８−ｎ各々の伝送状態情報に対応して予め設定されているビットレート及びフレームレートを格納している。
【００３０】
無線通信カード１８−１〜１８−ｎは市販されており、ＰＤＣ（Ｐｅｒｓｏｎａｌ  Ｄｉｇｉｔａｌ  Ｃｅｌｌｕｌａｒ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）等の移動通信方式によってデータ通信を行うためのＰＣカード型［ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カード型の無線通信機器等］である。
【００３１】
外部入力部１９はダイヤルやスイッチ、及びキー等の外部入力手段である。記録媒体２０はプログラムを記録している。制御部１１が図示せぬＣＰＵ（中央処理装置）やＲＡＭ（ランダムアクセスメモリ）を含むコンピュータの場合、ＣＰＵは記録媒体２０からプログラムを読出してＲＡＭに移して実行することで、上記の各部の制御や後述する処理を実現している。
【００３２】
図３は図２のパラメータテーブル１７の構成例を示す図である。図３において、パラメータテーブル１７は伝送状態情報（本実施例では伝送量）と、その情報に対応して予め設定されているビットレート及びフレームレートとが格納されている。
【００３３】
制御部１１は伝送状態情報を基にこのパラメータテーブル１７からビットレート及びフレームレートを取り出してエンコード部１２にパラメータとして設定する。
【００３４】
例えば、制御部１１は伝送状態情報が「２００［ｋｂｐｓ（ｂｉｔ／ｓｅｃｏｎｄ）」の場合、パラメータテーブル１７からビットレート「２００（ｋｂｐｓ）」及びフレームレート「１５（フレーム）」を取り出してエンコード部１２にパラメータとして設定する。
【００３５】
また、制御部１１は伝送状態情報が「１５０（ｋｂｐｓ）」の場合、パラメータテーブル１７からビットレート「１５０（ｋｂｐｓ）」及びフレームレート「１０（フレーム）」を取り出してエンコード部１２にパラメータとして設定する。
【００３６】
さらに、制御部１１は伝送状態情報が「８０（ｋｂｐｓ）」の場合、パラメータテーブル１７からビットレート「８０（ｋｂｐｓ）」及びフレームレート「５（フレーム）」を取り出してエンコード部１２にパラメータとして設定する。
【００３７】
さらにまた、制御部１１は伝送状態情報が「４０（ｋｂｐｓ）」の場合、パラメータテーブル１７からビットレート「４０（ｋｂｐｓ）」及びフレームレート「１（フレーム）」を取り出してエンコード部１２にパラメータとして設定する。
【００３８】
図４は図２の制御部１１によるエンコード制御を示すフローチャートである。図１〜図４を参照して図２の制御部１１によるエンコード制御について説明する。尚、図４に示す処理は制御部１１が記録媒体２０のプログラムを実行することで実現される。
【００３９】
制御部１１はエンコード制御を行う場合、外部入力部１９から外部指示入力があると（図４ステップＳ１）、外部指示に応じてエンコード部１２にパラメータを指示する（図４ステップＳ２）。その指示内容は上記のパラメータテーブル１７を用いた場合と同様である。
【００４０】
制御部１１は外部入力部１９から外部指示入力がなく（図４ステップＳ１）、前回の制御から予め設定した所定時間（例えば、分単位の所定時間）が経過していれば（図４ステップＳ３）、データ送受信部１３から伝送状態情報（伝送量）を取得する（図４ステップＳ４）。
【００４１】
制御部１１はデータ送受信部１３から取得した伝送量に変化がなければ（図４ステップＳ５）、上記のステップＳ１に戻る。また、制御部１１はデータ送受信部１３から取得した伝送量が前回より低下していれば（図４ステップＳ５）、伝送状態情報に応じたパラメータをパラメータテーブル１７から取得し（図４ステップＳ６）、取得したパラメータを基に、エンコード部１２に対してビットレートまたはフレームレートの減少を指示する（図４ステップＳ７）。
【００４２】
一方、制御部１１はデータ送受信部１３から取得した伝送量が前回より増大していれば（図４ステップＳ５）、伝送状態情報に応じたパラメータをパラメータテーブル１７から取得し（図４ステップＳ８）、取得したパラメータを基に、エンコード部に対してビットレートまたはフレームレートの増加を指示する（図４ステップＳ９）。
【００４３】
これによって、本実施例では、複数の無線通信カード１８−１〜１８−ｎ各々の通信環境の変化、つまり伝送量の変化に伴ってエンコード部１２による符号化のビットレートやフレームレートを可変することで、高品位映像の画質には多少の影響は生ずるものの、その連続性を損なうことなく、高品位映像を伝送することができる。
【００４４】
図５は本発明の第２の実施例による制御部におけるエンコード制御を示すフローチャートである。本発明の第２の実施例による高品位映像伝送システムの構成は図１に示す本発明の第１の実施例による高品位映像伝送システムの構成と同様となっており、本発明の第２の実施例による高品位映像伝送装置の構成は図２に示す本発明の第１の実施例による高品位映像伝送装置１の構成と同様となっている。
【００４５】
但し、本発明の第２の実施例による高品位映像伝送装置は複数の無線通信カード１８−１〜１８−ｎ各々の通信環境の変化、つまり伝送量の変化を常時監視し、その監視結果に対して統計処理を行う点で本発明の第１の実施例による高品位映像伝送装置１とは異なる。上記の図１と図２と図３と図５とを参照して本発明の第２の実施例による制御部１１におけるエンコード制御について説明する。尚、図５に示す処理は制御部１１が記録媒体２０のプログラムを実行することで実現される。
【００４６】
制御部１１はエンコード制御を行う場合、外部入力部１９から外部指示入力があると（図５ステップＳ１１）、外部指示に応じてエンコード部１２にパラメータを指示する（図５ステップＳ１２）。その指示内容は上記のパラメータテーブル１７を用いた場合と同様である。
【００４７】
制御部１１は外部入力部１９から外部指示入力がなく（図５ステップＳ１１）、前回の制御から予め設定した所定時間（例えば、分単位の所定時間）が経過していなければ（図５ステップＳ１３）、データ送受信部１３から伝送状態情報（伝送量）を取得して図示せぬ一時保持部（バッファ等）に一時保持する（図５ステップＳ１４）。
【００４８】
制御部１１は前回の制御から所定時間が経過していれば（図５ステップＳ１３）、一時保持部に保持された伝送状態情報の統計処理を行い（図５ステップＳ１５）、統計処理した伝送量に変化がなければ（図５ステップＳ１６）、上記のステップＳ１１に戻る。
【００４９】
また、制御部１１は統計処理した伝送量が前回より低下していれば（図５ステップＳ１６）、伝送状態情報に応じたパラメータをパラメータテーブル１７から取得し（図５ステップＳ１７）、取得したパラメータを基に、エンコード部１２に対してビットレートまたはフレームレートの減少を指示する（図５ステップＳ１８）。
【００５０】
一方、制御部１１は統計処理した伝送量が前回より増大していれば（図５ステップＳ１６）、伝送状態情報に応じたパラメータをパラメータテーブル１７から取得し（図５ステップＳ１９）、取得したパラメータを基に、エンコード部に対してビットレートまたはフレームレートの増加を指示する（図５ステップＳ２０）。
【００５１】
これによって、本実施例では、複数の無線通信カード１８−１〜１８−ｎ各々の通信環境の変化、つまり伝送量の変化の統計処理をとり、その統計処理結果の変化に伴ってエンコード部１２による符号化のビットレートやフレームレートを可変することで、高品位映像の画質には多少の影響は生ずるものの、その連続性を損なうことなく、高品位映像を伝送することができる。この場合、伝送量が突発的に急激に変化しても、それに影響されることなく、高品位映像を連続的に伝送することができる。
【００５２】
図６は本発明の第３の実施例による制御部におけるエンコード制御を示すフローチャートである。本発明の第３の実施例による高品位映像伝送システムの構成は図１に示す本発明の第１の実施例による高品位映像伝送システムの構成と同様となっており、本発明の第３の実施例による高品位映像伝送装置の構成は図２に示す本発明の第１の実施例による高品位映像伝送装置１の構成と同様となっている。
【００５３】
但し、本発明の第３の実施例による高品位映像伝送装置は高品位映像受信システム４から映像の乱れ（例えば、コマ落ち等）に応じて音声信号またはデータ信号で指示が通知された時にエンコード部１２による符号化のパラメータを設定する点で本発明の第１の実施例による高品位映像伝送装置１とは異なる。上記の図１と図２と図３と図６とを参照して本発明の第３の実施例による制御部１１におけるエンコード制御について説明する。尚、図６に示す処理は制御部１１が記録媒体２０のプログラムを実行することで実現される。
【００５４】
制御部１１はエンコード制御を行う場合、外部入力部１９から外部指示入力があると（図６ステップＳ２１）、外部指示に応じてエンコード部１２にパラメータを指示する（図６ステップＳ２２）。その指示内容は上記のパラメータテーブル１７を用いた場合と同様である。
【００５５】
制御部１１は外部入力部１９から外部指示入力がなく（図６ステップＳ２１）、高品位映像受信システム４からの指示が入力されると（図６ステップＳ２３）、データ送受信部１３から伝送状態情報（伝送量）を取得する（図５ステップＳ２５）。
【００５６】
また、制御部１１は高品位映像受信システム４からの指示が入力されず（図６ステップＳ２３）、前回の制御から予め設定した所定時間（例えば、分単位の所定時間）が経過していれば（図６ステップＳ２４）、データ送受信部１３から伝送状態情報（伝送量）を取得する（図６ステップＳ２５）。
【００５７】
制御部１１はデータ送受信部１３から取得した伝送量に変化がなければ（図６ステップＳ２６）、上記のステップＳ２１に戻る。また、制御部１１はデータ送受信部１３から取得した伝送量が前回より低下していれば（図６ステップＳ２６）、伝送状態情報に応じたパラメータをパラメータテーブル１７から取得し（図６ステップＳ２７）、取得したパラメータを基に、エンコード部１２に対してビットレートまたはフレームレートの減少を指示する（図６ステップＳ２８）。
【００５８】
一方、制御部１１は統計処理した伝送量が前回より増大していれば（図６ステップＳ２６）、伝送状態情報に応じたパラメータをパラメータテーブル１７から取得し（図６ステップＳ２９）、取得したパラメータを基に、エンコード部に対してビットレートまたはフレームレートの増加を指示する（図６ステップＳ３０）。
【００５９】
これによって、本実施例では、所定時間が経過する毎に、あるいは高品位映像受信システム４からの指示が入力される毎に、複数の無線通信カード１８−１〜１８−ｎ各々の通信環境の変化、つまり伝送量の変化に伴ってエンコード部１２による符号化のビットレートやフレームレートを可変することで、高品位映像の画質には多少の影響は生ずるものの、その連続性を損なうことなく、高品位映像を伝送することができる。この場合、所定時間が経過する前であっても、高品位映像受信システム４側で表示される映像に乱れが生じても、即座に映像の乱れを修復して、高品位映像を連続的に伝送することができる。
【００６０】
図７は本発明の第４の実施例による高品位映像伝送装置の構成を示すブロック図である。図７において、本発明の第４の実施例による高品位映像伝送装置５はパラメータテーブル１７を用いずにエンコード部１２のパラメータの設定を行うようにした以外は、図２に示す本発明の第１の実施例と同様の構成となっており、同一構成要素には同一符号を付してある。また、同一構成要素の動作は本発明の第１の実施例の動作と同様である。
【００６１】
図８は図７の制御部５１によるエンコード制御を示すフローチャートである。図１と図７と図８とを参照して図７の制御部５１によるエンコード制御について説明する。尚、図８に示す処理は制御部５１が記録媒体５２のプログラムを実行することで実現される。
【００６２】
制御部５１はエンコード制御を行う場合、外部入力部１９から外部指示入力があると（図８ステップＳ３１）、外部指示に応じてエンコード部１２にパラメータを指示する（図８ステップＳ３２）。このエンコード部１２へのパラメータの指示は外部から入力される数値、あるいは外部指示に対応して予め保持している数値によって行われる。
【００６３】
制御部５１は外部入力部１９から外部指示入力がなく（図８ステップＳ３１）、前回の制御から予め設定した所定時間（例えば、分単位の所定時間）が経過していれば（図８ステップＳ３３）、データ送受信部１３から伝送状態情報（伝送量）を取得する（図８ステップＳ３４）。
【００６４】
制御部５１はデータ送受信部１３から取得した伝送量に変化がなければ（図８ステップＳ３５）、上記のステップＳ３１に戻る。また、制御部５１はデータ送受信部１３から取得した伝送量が前回より低下していれば（図８ステップＳ３５）、伝送状態情報を基にビットレートの減少をエンコード部１２に対して指示する（図８ステップＳ３６）。
【００６５】
制御部５１はエンコード部１２に指示したビットレートが予め設定された所定量減少すれば（図８ステップＳ３７）、エンコード部１２に対してビットレートの減少に対応するフレームレートを指示する（図８ステップＳ３８）。
【００６６】
一方、制御部５１はデータ送受信部１３から取得した伝送量が前回より増大していれば（図８ステップＳ３５）、伝送状態情報を基にビットレートの増加をエンコード部１２に対して指示する（図８ステップＳ３９）。
【００６７】
制御部５１はエンコード部１２に指示したビットレートが予め設定された所定量増加すれば（図８ステップＳ４０）、エンコード部１２に対してビットレートの増加に対応するフレームレートを指示する（図８ステップＳ４１）。
【００６８】
これによって、本実施例では、複数の無線通信カード１８−１〜１８−ｎ各々の通信環境の変化、つまり伝送量の変化に伴ってエンコード部１２による符号化のビットレートやフレームレートを可変することで、高品位映像の画質には多少の影響は生ずるものの、その連続性を損なうことなく、高品位映像を伝送することができる。
【００６９】
尚、本発明においては、符号化回路（エンコード部１２）、伝送制御回路（データ送受信部１３）、無線通信カード１８−１〜１８−ｎとして市販されているものを使用することで、装置自体の小型化が可能となる。よって、本発明では、従来、中継車がなければ不可能だった高品位映像の伝送を中継車なしに可能とし、さらに小型化を図ることで、機動性に富んだ報道や、あるいは各種機器の監視を行うことができる。
【図面の簡単な説明】
【００７０】
【図１】本発明の第１の実施例による高品位映像伝送システムの構成を示すブロック図である。
【図２】図１の高品位映像伝送装置の構成を示すブロック図である。
【図３】図２のパラメータテーブルの構成例を示す図である。
【図４】図２の制御部によるエンコード制御を示すフローチャートである。
【図５】本発明の第２の実施例による制御部におけるエンコード制御を示すフローチャートである。
【図６】本発明の第３の実施例による制御部におけるエンコード制御を示すフローチャートである。
【図７】本発明の第４の実施例による高品位映像伝送装置の構成を示すブロック図である。
【図８】図７の制御部によるエンコード制御を示すフローチャートである。
【符号の説明】
【００７１】
１，５  高品位映像伝送装置
２  カメラ
３  マイク
４  高品位映像受信システム
１１，５１  制御部
１２  エンコード部
１３  データ送受信部
１４  映像入力部
１５  音声入力部
１６  音声出力部
１７  パラメータテーブル
１８−１〜１８−ｎ  無線通信カード
１９  外部入力部
２０，５２  記録媒体
１００，２００  無線公衆網
３００  有線回線
４００  インタネット
【図１】
2006025064.tif 000003
【図２】
2006025064.tif 000004
【図３】
2006025064.tif 000005
【図４】
2006025064.tif 000006
【図５】
2006025064.tif 000007
【図６】
2006025064.tif 000008
【図７】
2006025064.tif 000009
【図８】
2006025064.tif 000010